(57)【特許請求の範囲】
【請求項１】
棒状体と、この棒状体の外周に嵌合される環状体と、この環状体の外周にその一端が連結される連結体を少なくとも備え、
前記棒状体に少なくとも２つの環状体が嵌合され、且つ、それらの環状体に連結体の両端が連結される状態でフレームが形成され、このフレームを単位として、立体物が組立てられる立体物用組立セットにおいて、
前記棒状体は、照明装置が収容される内部空間を備え、且つ、その長尺方向に前記内部空間を臨む開口が形成されていることを特徴とする立体物用組立セット。
【請求項２】
前記棒状体の開口には、板状材の縁が取り付けられていることを特徴とする請求項１に記載の立体物用組立セット。
【請求項３】
前記環状体には、嵌合可能な足材が設けられていることを特徴とする請求項１又は２に記載の立体物用組立セット。
【発明の詳細な説明】
【技術分野】
【０００１】  本願発明は、組立要素として複数のパーツ材を組合せて、ディスプレイ装置等の立体物を組立てることができる立体物用組立セットに関する。
【背景技術】
【０００２】  複数のパーツ材から立体物を組み上げる技術を開示する文献として、固定構造物に関連する技術分野では、次のようなものがある。
特許文献１では、支柱１４とパネル材１３を組み合わせて、間仕切り構造物が作られる技術が記載されている。特許文献２では、中空支柱１と保持金具３を組合わせて仕切壁を固定する技術が記載されている。
その他、プロファイル材１０に棚板１１を固定する棚装置に関する技術が特許文献３に記載されている。
【先行技術文献】
【特許文献】
【０００３】
【特許文献１】  特開２００５−２３５１７号公報
【特許文献２】  実開昭５０−６９４２０号公報
【特許文献３】  特開２００６−７６７４９号公報
【発明の概要】
【発明が解決しようとする課題】
【０００４】  これらの技術の共通点は、空間を仕切る間仕切りや棚装置を作ることであり、空間を装飾する立体物を複数のパーツ材から組み上げる技術を開示するものではない。
そこで、出願人は、空間を装飾する立体物を複数のパーツ材から組み上げる技術を新たに開発すると共に、出願人が技術開発に注力している、ＬＥＤプレートを用いた照明装置と結付けることにより、新規な技術分野を立上げることを目的とする。
【課題を解決するための手段】
【０００５】
上記課題を解決するため、  棒状体と、この棒状体の外周に嵌合される環状体と、この環状体の外周にその一端が連結される連結体を少なくとも備える。
【０００６】
前記棒状体に少なくとも２つの環状体が嵌合され、且つ、それらの環状体に連結体の両端が連結される状態でフレームが形成され、このフレームを単位として、立体物が組立てられる立体物用組立セットである。
【０００７】
前記棒状体は、照明装置が収容される内部空間を備え、且つ、その長尺方向に前記内部空間を臨む開口が形成されていることを特徴とする立体物用組立セットとした（以上、請求項１に記載の発明）。
【０００８】
上記発明において、前記棒状体の開口には、板状材の縁が取り付けられていることを特徴する立体物用組立セットとした（請求項２に記載の発明）。
【０００９】
上記発明において、前記環状体には、嵌合可能な足材が設けられていることを特徴する立体物用組立セットとした（請求項３に記載の発明）。
【発明の効果】
【００１０】  本願発明によれば、
１．  棒状体と、棒状体に嵌合された少なくとも２つの環状体と、それらの環状体に両端が連結される連結体とで１つのフレームが形成され、このフレームを組立てることにより、組立者が任意に、自由に、空間を装飾する立体物を組み上げることができる。
２．  この立体物とＬＥＤプレートを用いた照明装置とを結付けることにより、新規なディスプレイ装置等の提供が可能となり、新たな技術分野を立上げることができる。
３．  立体物と照明装置とを結付けることで、特に光の演出効果を加味することができる。
４．  棒状体、環状体及び連結体の組合せは、嵌合の作業のみで簡単である。
【図面の簡単な説明】
【００１１】
【図１】  本願発明に係る立体物用組立セット（以下、単に組立セット）の組立要素をなす棒状体の正面図（Ａ）及び斜視図（Ｂ）、
【図２】  同環状体の正面図（Ａ）及び斜視図（Ｂ）、
【図３】  同連結体の斜視図、
【図４】  組立セットの基本的な単位をなす１フレームを形成する１対の棒状体、２対の環状体及び１対の連結体の斜視図、
【図５】  図４の斜視図に、照明装置及び板状体を加えた斜視図（Ａ）並びに照明装置の拡大図（Ｂ）、
【図６】  同斜視図に、足材及び端材を加えた斜視図、
【図７】  三角柱状に組立てられた立体物の斜視図、
【図８】  同断面図、
【図９】  三角柱状の立体物から構成されているディスプレイ装置の側面図、
【図１０】  同ハンガーユニットの側面図、
【図１１】  同壁面棚ユニットの側面図
【図１２】  同床置シューズラックの側面図、
【図１３】  四角柱状に組立てられた立体物の側面図、
【図１４】  四角柱状の立体物から構成されているディスプレイ装置の側面図、
【図１５】  二段に重ねたディスプレイ装置の側面図、
【図１６】  同展示台ユニットの正面図（Ａ）、平面図（Ｂ）及び側面図（Ｃ）、
【図１７】  同棚ユニットの正面図（Ａ）、平面図（Ｂ）及び側面図（Ｃ）、
【図１８】  四角柱状に組立てられた立体物であって、別例の連結体により組立てられた組立セットの斜視図、
【図１９】  同連結体の説明図、
【図２０】  平面状の立体物の斜視図、
【図２１】  同側面図、
【図２２】  同要部平面図である。
【発明を実施するための形態】
【００１２】  本願発明の組立セット１の組立要素は、図１〜図３に図示するパーツ材で、少なくとも棒状体２と、この棒状体２の外周２０に嵌合される環状体３と、この環状体３の外周３０にその一端が連結される連結体４からなる。
環状体３の具体的な構成として、ここでは代表例として環状体３Ａを図示して説明し、同様に連結体４の具体的な構成として、連結体４Ａを代表例として図示説明することとし、別例については後述する。
【００１３】  これらの組立要素により、２つの前記棒状体２、２に、少なくともそれぞれ２つの環状体３Ａが嵌合され、且つ、それらの環状体３Ａにそれぞれ連結体４Ａの両端が連結される状態で立体物として、１つの枠体（１フレーム）が形成される。
【００１４】  この枠体は、前記組立要素を用いて立体物を組み立てる場合の基本的な単位となるもので、かかる平面状の立体物から、各フレームを所定の角度で連結させて組立てて多様な立体物を組立てる。
なお、上記組立要素２〜４は、アルミ押出形材で形成されるものである。
【００１５】  前記棒状体２は、長尺状のもので、円筒等の円柱状のもの、多角柱状のもので構成される。
この実施形態では、前記棒状体２は円筒形状に構成され、且つ、内部空間２１を備えると共に、その長尺方向に前記内部空間２１を臨む開口２２が形成されている。
【００１６】  前記棒状体２の外周２０には、複数の嵌合凸部２００が形成されている。一方、前記嵌合凸部２００と嵌合する嵌合凹部３１０が前記環状体３Ａに形成され、この棒状体２の外周２０に前記環状体３Ａを所定の位置及び角度で取り付けるようになっている。
【００１７】  前記嵌合凸部２００は、谷部２０１、２０１・・・間に形成されている山部２０２、２０２・・・からなるもので、山部２０２、２０２・・・の円周弧２０３に対応する円周角２０３αは３０度毎に形成されている。
かかる前記嵌合凸部２００及び嵌合凹部３１０の構成は、主に前記開口２２の環状体３Ａに対する角度を正確に調整し、固定できるようにするものであり、かかる機能を発揮できるものであれば、上記構成に限定されるものではない。
【００１８】  前記内部空間２１は、主に照明装置５を収容するスペースで前記棒状体２の両端２３、２３にわたって形成され、開口２２も前記棒状体２の両端２３、２３にわたって形成されている。
【００１９】  前記開口２２は、前記照明装置５の照射光をその設定された角度方向へ照射させるもので、多様な照射光による演出を可能にしている。
また、前記開口２２は、板状材６の縁６０を取り付けたり、挟み持つものでもあり、前記縁６０を支持したり、挟込む挟込片２２０、２２０が形成されている。
【００２０】  前記内部空間２１によって形成される内周２４には、その長尺方向に照明装置５を取り付けるための取付溝２４０が形成されている。
【００２１】  図２（Ａ）及び（Ｂ）に図示したように、環状体３Ａの外周３０には、外周面３００から逆Ｔ字状に掘り下げられた嵌合スライド部３０１が、外周面３００の全周にわたって、その中心点Ｏに対し４５度毎に、８つの突起間に形成されている。
【００２２】  なお、図７等で図示する前記環状体３Ｂでは、前記嵌合スライド部３０１が外周３０の外周面３００の全周にわたって、その中心点Ｏに対し６０度毎に、６つの突起間に形成されている。
これらの嵌合スライド部３０１の構成は、１フレームから各種立方体を組み立てる場合を想定して構成されるもので、三角柱及び四角柱を想定しており、これら以外の立体物、例えば多角柱の五角柱を組み立てる場合には、中心点に対し３６度毎に形成すればよく、前記嵌合スライド部３０１の構成は、環状体３Ａ、３Ｂに限定されるものではない。
【００２３】  前記環状体３Ａの内周３１に形成される前記嵌合凹部３１０は、前記棒状体２の谷部２０１に対応する山部３１１、３１１・・・間に形成されている。
【００２４】  なお、前記嵌合凸部２００及び嵌合凹部３１０による棒状体２と環状体３Ａの固定を補強にする手段として、前記環状体３Ａの外周３０から棒状体２の外周２０に向けてイモネジを打込方法等がある。
【００２５】  図３に図示したように前記連結体４Ａには、前記環状体３Ａの嵌合スライド部３０１に嵌合される連結片４０、４０が、逆Ｔ字状の嵌合スライド部３０１に、スライドさせて嵌合されるように、略Ｔ字状に形成されている。
前記連結片４０の長手幅ｈは、前記嵌合スライド部３０１の長手幅Ｈに略一致した寸法となっている。
なお、図示は省略するが、前記環状体３Ａの嵌合スライド部３０１に対する連結片４０、４０の嵌合を補強する手段として、前記環状体３Ａの外周３０から連結片４０、４０に向けてイモネジを打込方法、連結片４０、４０の略Ｔ字の頂面と嵌合スライド部３０１間にビード等の弾性材を介在させる方法等がある。
【００２６】  前記照明装置５は、図５（Ｂ）に示したようにＬＥＤプレート５０を配置するアルミ形材５１と、ＬＥＤプレート５０をアルミ形材５１に押し付ける線材５２、５２と、アルミ形材５１の端部まで充填されるコーティング材５３から形成されている。
前記ＬＥＤプレート５０は、ＬＥＤチップを電極パターンが描かれた基板に直接配置したモジュールから構成される。具体的には、ＬＥＤプレート５０は、例えば配線パターン及びアンカー部が形成される基板と、前記配線パターン上に施される補助メッキ及び金メッキを介して電極が接続されるＬＥＤチップからなる。ここにＬＥＤチップは、単一の発光色のもの、赤色、緑色及び青色に発光する各チップを並べたマルチタイプのもの等がある。前記ＬＥＤチップの周囲には、レンズ状（凸状）のコーティング層が形成されている。
【００２７】  以上のように構成される前記照明装置５は、１２チップ、１６チップ又は２０チップ等で、必要に応じて任意のチップ数を単位に構成される。
また、図示は省略するが、前記照明器具５は基盤連結部を介して、長尺状に接続することもできる。
【００２８】  前記板状材６は、典型的にはガラス板から構成されており、立体物に物を載せる場合の載置台となったり、立体物をディスプレイ装置とする場合には、商品陳列用の棚とすることができる。
前記板状材６の材質によって、前記照明装置５からの照射光の多様な演出が可能となっている。
例えば、前記開口２２の挟込片２２０、２２０間に透明ガラス板をセットすれば、前記照明装置５により前記縁６０を照射させ、その光を透明ガラス板に透過させることで、光の演出効果を高めることができる。
また、前記照明装置５からの照射光を前記板状材６の表面で反射させることもできる。
【００２９】  以上のように構成させる組立セット１の効果を纏めると次のようである。
（１）  前記棒状体２に形成されている前記開口２２は、棒状体２の内部空間２１に収容される前記照明装置５の照射光をその設定された角度方向へ照射させることができ、多様な照射光による演出を可能にしている。
（２）  前記環状体３Ａの嵌合スライド部３０１は、１フレームから各種立方体を組み立てる場合を想定して構成されるもので、三角柱及び四角柱及びこれら以外の立体物を組み立てる場合に、中心点に対し所定の角度毎等に形成すればよく、組立者の自由な組上げに資することができる。
（３）  前記板状材６の材質によって、前記照明装置５からの照射光の多様な演出が可能となっている。
【００３０】  次に、上記組立セット１の組立方法について図４〜図６に基づき、１フレームを形成する場合から説明する。
一対の前記棒状体２、２と、それぞれ２つの環状体３Ａと、一対の連結体４Ａを準備する。
前記各棒状体２の端部２３に対し、棒状体２の外周２０に前記環状体３Ａを所定の位置及び角度で固定するため、その外周２０の嵌合凸部２００と前記環状体３Ａの嵌合凹部３１０を嵌合させる。
次に各環状体３の外周３０に形成されている嵌合スライド部３０１に対し、連結体４Ａの連結片４０、４０を連結させる。
【００３１】  このように構成された１フレームの前記棒状体２を用い、新しい前記棒状体２と、それぞれ２つの環状体３Ａと、一対の連結体４Ａとで、次の１フレームを組み立てることで、組立セット１を組み立てる者が任意に、自由に立体物を組立てることができるようになっている。
【００３２】  前記照明装置５を棒状体２に収容する場合には、前記棒状体２と前記環状体３Ａとを嵌合させる前に、図５（Ａ）のように前記棒状体２の何れかの端部２３からその取付溝２４０にアルミ形材５１をスライドさせて取り付ける。
【００３３】  前記板状材６は、環状体３Ａに連結体４Ａを連結させる前に、その板状材６の縁６０を挟込片２２０、２２０で挟み込ませる。この場合、必要に応じて縁６０と挟込片２２０、２２０のスペースは、ビード等の弾性材で埋めればよい。
【００３４】  また、図６に図示したように、環状体３の嵌合スライド部３０１に、足材７を取り付けることもできる。この実施形態では、足材７の長尺方向の長さは、環状体３の長手幅Ｈとほぼ同じであるが、使用目的や設置条件によっては、棒状体２の長尺方向の長さとほぼ同じにしてもよい。
この足材７は、床面に対する足として立体物を安定させたり、壁等に立体物を固定する場合の固定媒介物とさせたり、立体物に板状材等を載せる場合に安定させたりするもので、略Ｃ字状に形成され、その両端部に連結体４Ａの連結片４０と同様の連結片７０が形成されている。
また、図６のように、環状体３の端部を化粧するための端材８を用いてもよい。
【００３５】  以上の組立方法によれば、
（４）  組立セット１は、棒状体２、環状体３Ａ及び連結体４Ａの１フレーム毎の嵌合の作業のみで簡単に完成させることができる。
【００３６】  以上の構成及び組立方法により作成される立体物の構成例について、図７〜図２２に基づいて説明する。
図７〜図９は、正三角柱状に組立てられた立体物９Ａを図示するもので、図８のように各棒状体２に前記照明装置５が収容され、図９のように板状材６が取り付けられる場合には、板状材６に載せられる商品等に対して、３方向から照射光が照射され、商品に対する光の演出を創作することができる。
【００３７】  図１０は、二等辺三角柱状に組立てられた立体物９Ｂであり、足材７を介して壁等に固定され、棒状体２に洋服等を吊り下げることができるハンガーユニットとなっている。
なお、この場合、連結体４Ｂの断面方向の長さは、前記連結体４Ａよりも長くなっている。
【００３８】  図１１は、図１０と同様に二等辺三角柱状に組立てられた立体物９Ｂを図示するもので、足材７を介して壁等に固定され、且つ、板状材６を取り付けて壁面棚ユニットとして使用できるもので、板状材６に載せられる商品等に対し、左右方向から照射光を照射させ、また、上下方向からの視線を意識させる光の演出が可能となっている。
【００３９】  図１２は、図１０と同様に二等辺三角柱状に組立てられた立体物９Ｂを図示するもので、足材７を介して床面等に安定的に配置することができる床置シューズラックとなっている。
かかる床置シューズラックの板状材６に載せられるシューズが、前記照明装置５の照射光により、照射されることにより、例えば商品自体を浮き上がらせること等の光の演出が可能となっている。
【００４０】  図１３〜図１４は、正四角柱状に組立てられた立体物９Ｃを図示するもので、図１４のように各棒状体２に前記照明装置５が収容され、且つ板状材６が取り付けられてディスプレイ装置となっている。
【００４１】  図１５は、正四角柱状に組立てられた立体物９Ｃを上下に重ねたものを図示するもので、各棒状体２に前記照明装置５が収容され、且つ板状材６が取り付けられて、ディスプレイ装置となっている。なお、筋交いとして補強用の前記環状体３Ａ及び連結体４Ｃが取り付けられている。
【００４２】  図１６は、正四角柱状に組立てられた立体物を上下左右に組立てて、展示台ユニット９Ｄとしたものを図示し、左右の脚部の各棒状体２に前記照明装置５が収容され、且つ板状材６が取り付けられている。
【００４３】  図１７は、正四角柱状に組立てられた立体物を上下に多段的に組立てた床置棚ユニット９Ｅを図示し、各棒状体２に前記照明装置５が収容され、且つ板状材６が取り付けられている。よって各板状材６に配置されている商品等のライトアップが可能となっている。
なお、床置棚ユニット９Ｅを足材７を介して壁等に固定して、立体物としての安定を図ることもできる。
【００４４】  図１８は、別例の連結体４Ｄを用いた四角柱状の立体物９Ｆを図示するもので、連結体４Ｄは、図１９のように前記照明装置５の配線を収容する溝４１とこの溝４１をカバーするビード材４２を備え、取付金具４３を介して、前記環状体３Ａの外周３０の嵌合スライド部３０１に固定されている。
【００４５】  図２０乃至図２２は、１フレームから構成される平面状の立体物９Ｇを図示するもので、前記連結体４Ａにかわり湾曲状の連結体４Ｅが用いられている。
また、板状材６Ａも多面的に構成され、前記照明装置５からの照射光を前記板状材６Ａの表面で反射させて、光の演出効果を高めており、例えば文具等を載せるトレ−として利用することができる。
【００４６】  本発明は以上説明した実施形態に限定されるものではなく、多くの変形が本発明の技術的思想内で当分野において、通常の知識を有する者により可能である。
【符号の説明】
【００４７】１  組立セット
２  棒状体
２０  外周                            ２１  内部空間
２２  開口                            ２３  両端      ２４  内周
２００  嵌合凸部                      ２０１、２０１  谷部
２０２、２０２  山部                  ２０３  円周弧
２０３α  円周角                      ２２０、２２０  挟込片
２４０  取付溝
３  ３Ａ  ３Ｂ  環状体
３０  外周
３００  外周面                        ３０１  嵌合スライド部
３１０  嵌合凹部                      ３１１  ３１１  山部
４  ４Ａ  ４Ｂ  ４Ｃ  ４Ｄ  ４Ｅ  連結体
４０  ４０  連結片                    ４１  溝
４２  ビード材                        ４３  取付金具
５  照明装置
５０  ＬＥＤプレート                  ５１  アルミ形材
６  ６Ａ  板状材                      ６０  縁
７  足材                              ７０  連結片
８  端材
９Ａ  ９Ｂ  ９Ｃ  ９Ｄ  ９Ｅ  ９Ｆ  ９Ｇ  立体物
９Ｄ  展示台ユニット
９Ｅ  床置棚ユニット
Ｈ  ｈ  長手幅
【図１】
0006373695.tif 000002
【図２】
0006373695.tif 000003
【図３】
0006373695.tif 000004
【図４】
0006373695.tif 000005
【図５】
0006373695.tif 000006
【図６】
0006373695.tif 000007
【図７】
0006373695.tif 000008
【図８】
0006373695.tif 000009
【図９】
0006373695.tif 000010
【図１０】
0006373695.tif 000011
【図１１】
0006373695.tif 000012
【図１２】
0006373695.tif 000013
【図１３】
0006373695.tif 000014
【図１４】
0006373695.tif 000015
【図１５】
0006373695.tif 000016
【図１６】
0006373695.tif 000017
【図１７】
0006373695.tif 000018
【図１８】
0006373695.tif 000019
【図１９】
0006373695.tif 000020
【図２０】
0006373695.tif 000021
【図２１】
0006373695.tif 000022
【図２２】
0006373695.tif 000023